【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】
（Ａ）非共役ポリエンである下記一般式［Ｉ］または［II］で表わされる少なくとも一種の末端ビニル基含有ノルボルネン化合物から導かれる構成単位を有し、かつ、分子中に下記一般式［III]で表わされる加水分解性シリル基を含有するシリル基含有エチレン・α-
オレフィン・非共役ポリエンランダム共重合体ゴム、
（Ｂ）脂肪族アミン、脂環式アミン、変性環状脂肪族ポリアミンおよびエタノールアミン類から選ばれるアミン類、および
（Ｃ）一般式Ｙ3（Ｓｉ）Ｚ［式中、Ｙはアルコキシル基であり、Ｚはアミノアルキル置
換または未置換のアミノ基およびメルカプト基より選ばれる官能基を含むアルキル基である］で表わされるシランカップリング剤に、
（Ｄ）ラッカー系塗料、アクリルラッカー系塗料、アクリル樹脂系塗料、熱硬化型アクリル塗料、アルキッド塗料、メラミン塗料、エポキシ塗料またはオルガノポリシロキサンからなる樹脂を有効成分として含有してなることを特徴とする硬化性ゴム組成物；
【化１】
2002037951.tif 000001
［式中、ｎは０ないし１０の整数であり、Ｒ1は水素原子または炭素原子数１〜１０のア
ルキル基であり、Ｒ2は水素原子または炭素原子数１〜５のアルキル基である］、
【化２】
2002037951.tif 000002
［式中、Ｒ3は水素原子または炭素原子数１〜１０のアルキル基である］、
【化３】
2002037951.tif 000003
［式中、Ｒは、炭素原子数１〜１２の１価炭化水素基であり、Ｘはハイドライド基、ハロゲン基、アルコキシル基、アシルオキシ基、ケトキシメート基、アミド基、酸アミド基、アミノオキシ基、メルカプト基、アルケニルオキシ基、チオアルコキシ基およびアミノ基から選ばれる加水分解性基であり、ａは０、１または２の整数である］。
【請求項２】
請求項１に記載の硬化性ゴム組成物であって、電気・電子部品、輸送機、土木・建築、医療またはレジャーの用途に用いられることを特徴とする硬化性ゴム組成物。
【請求項３】
前記電気・電子部品の用途が、重電部品、弱電部品、電気・電子機器の回路や基板のシーリング材、ポッティング材、コーティング材もしくは接着剤；電線被覆の補修材；電線ジョイント部品の絶縁シール材；ＯＡ機器用ロール；振動吸収剤；またはゲルもしくはコンデンサの封入材であることを特徴とする請求項２に記載の硬化性ゴム組成物。
【請求項４】
前記シーリング材が、冷蔵庫、冷凍庫、洗濯機、ガスメーター、電子レンジ、スチームアイロンまたは漏電ブレーカー用のシール材として用いられることを特徴とする請求項３に記載の硬化性ゴム組成物。
【請求項５】
前記ポッティング材が、トランス高圧回路、プリント基板、可変抵抗部付き高電圧用トランス、電気絶縁部品、半導電部品、導電部品、太陽電池またはテレビ用フライバックトランスをポッティングするために用いられることを特徴とする請求項３に記載の硬化性ゴム組成物。
【請求項６】
前記コーティング材が、高電圧用厚膜抵抗器もしくはハイブリッドＩＣの回路素子；ＨＩＣ；電気絶縁部品；半導電部品；導電部品；モジュール；印刷回路；セラミック基板；ダイオード、トランジスタもしくはボンディングワイヤーのバッファー材；半導電体素子；または光通信用オプティカルファイバーをコーティングするために用いられることを特徴とする請求項３に記載の硬化性ゴム組成物。
【請求項７】
前記接着剤が、ブラウン管ウェッジ、ネック、電気絶縁部品、半導電部品または導電部品を接着するために用いられることを特徴とする請求項３に記載の硬化性ゴム組成物。
【請求項８】
前記輸送機の用途が、自動車、船舶、航空機または鉄道車輛の用途であることを特徴とする請求項２に記載の硬化性ゴム組成物。
【請求項９】
前記自動車の用途が、自動車エンジンのガスケット、電装部品もしくはオイルフィルター用のシーリング材；イグナイタＨＩＣもしくは自動車用ハイブリッドＩＣ用のポッティング材；自動車ボディ、自動車用窓ガラスもしくはエンジンコントロール基板用のコーティング材；またはオイルパンのガスケット、タイミングベルトカバーのガスケット、モール、ヘッドランプレンズ、サンルーフシールもしくはミラー用の接着剤であることを特徴とする請求項８に記載の硬化性ゴム組成物。
【請求項１０】
前記船舶の用途が、配線接続分岐箱、電気系統部品もしくは電線用のシーリング材；ま
たは電線もしくはガラス用の接着剤であることを特徴とする請求項８に記載の硬化性ゴム組成物。
【請求項１１】
前記土木・建築の用途が、商業用ビルのガラススクリーン工法の付き合わせ目地、サッシとの間のガラス周り目地、トイレ、洗面所もしくはショーケースにおける内装目地、バスタブ周り目地、プレハブ住宅用の外壁伸縮目地、サイジングボード用目地に使用される建材用シーラント；複層ガラス用シーリング材；道路の補修に用いられる土木用シーラント；金属、ガラス、石材、スレート、コンクリートもしくは瓦用の塗料・接着剤；または粘着シート、防水シートもしくは防振シートに用いられることを特徴とする請求項２に記載の硬化性ゴム組成物。
【請求項１２】
前記医療の用途が、医薬用ゴム栓、シリンジガスケットもしくは減圧血管用ゴム栓用のシール材料であることを特徴とする請求項２に記載の硬化性ゴム組成物。
【請求項１３】
前記レジャーの用途が、スイミングキャップ、ダイビングマスクもしくは耳栓用のスイミング部材；またはスポーツシューズもしくは野球グローブ用のゲル緩衝部材であることを特徴とする請求項２に記載の硬化性ゴム組成物。
【請求項１４】
請求項１に記載の硬化性ゴム組成物からなることを特徴とするシーリング材。
【請求項１５】
請求項１に記載の硬化性ゴム組成物からなることを特徴とするポッティング材。
【請求項１６】
請求項１に記載の硬化性ゴム組成物からなることを特徴とするコーティング材。
【請求項１７】
請求項１に記載の硬化性ゴム組成物からなることを特徴とする接着剤。
【手続補正２】
【補正対象書類名】明細書
【補正対象項目名】００１８
【補正方法】変更
【補正の内容】
【００１８】
前記医療の用途としては、たとえば医薬用ゴム栓、シリンジガスケットもしくは減圧血管用ゴム栓用のシール材料が挙げられる。前記レジャーの用途としては、たとえばスイミングキャップ、ダイビングマスクもしくは耳栓用のスイミング部材；またはスポーツシューズもしくは野球グローブ用のゲル緩衝部材が挙げられる。
【手続補正３】
【補正対象書類名】明細書
【補正対象項目名】００６６
【補正方法】変更
【補正の内容】
【００６６】
接着性改良剤としては、一般に用いられている接着剤やアミノシラン化合物、エポキシシラン化合物等のシランカップリング剤、その他の化合物を用いることができる。このような接着性改良剤の具体例としては、フェノール樹脂、エポキシ樹脂、N-(β-アミノエチル）アミノプロピルメチルジメトキシシラン、クマロン−インデン樹脂、ロジンエステル樹脂、テルペン−フェノール樹脂、α-メチルスチレン−ビニルトルエン共重合体、ポリ
エチルメチルスチレン、アルキルチタネート類、芳香族ポリイソシアネートなどが挙げられる。接着性改良剤を配合する場合、その配合量は、シリル基含有エチレン・α-オレフ
ィン・非共役ポリエンランダム共重合体ゴム（Ａ）１００重量部に対して、１〜５０重量部程度が好ましく、５〜３０重量部程度がより好ましい。
【手続補正４】
【補正対象書類名】明細書
【補正対象項目名】００７１
【補正方法】変更
【補正の内容】
【００７１】
上記充填剤の具体例としては、たとえば木粉、パルプ、木綿チップ、アスベスト、ガラス繊維、炭素繊維、マイカ、クルミ殻粉、グラファイト、珪藻土、白土、ヒュームドシリカ、沈降性シリカ、無水珪酸、カーボンブラック、炭酸カルシウム、クレー、タルク、酸化チタン、炭酸マグネシウム、石英、アルミニウム微粉末、フリント粉末、亜鉛末などが挙げられる。これらの充填剤のうちでは沈降性シリカ、ヒュームシリカ、カーボンブラック等のチキソトロピック性を有する充填剤や、炭酸カルシウム、酸化チタン、タルク等が好ましい。充填剤を配合する場合、その配合量は、シリル基含有エチレン・α-オレフィ
ン・非共役ポリエンランダム共重合体ゴム（Ａ）１００重量部に対して、１０〜５００重量部程度が好ましく、２０〜３００重量部程度がより好ましい。
【手続補正５】
【補正対象書類名】明細書
【補正対象項目名】００７３
【補正方法】変更
【補正の内容】
【００７３】
このようなイオウ系老化防止剤の具体例としては、メルカプタン類である2-メルカプトベンゾチアゾール；メルカプタンの塩類である2-メルカプトベンゾチアゾールの亜鉛塩；スルフィド類である4,4'-チオ-ビス（3-メチル-6-t-ブチルフェノール）、4,4'-チオ-ビ
ス（2-メチル-6-t-ブチルフェノール）、2,2'-チオ-ビス（4-メチル-6-t-ブチルフェノール）、ビス（3-メチル-4-ヒドロキシ-5-t-ブチルベンジル）スルフィド、テレフタロイルジ（2,6-ジ-メチル-4-t-ブチル-3-ヒドロキシベンジルスルフィド、フェノチアジン、2,2'-チオ-ビス（4-オクチルフェノール）ニッケル、ジラウリルチオジプロピオネイト、ジ
ステアリルチオジプロピオネイト、ジミリスチルチオジプロピオネイト、ジトリデシルチオジプロピオネイト、ジステアリルβ,β'-チオジブチレイト、ラウリル−ステアリルチ
オジプロピオネイト、2,2-チオ［ジエチル-ビス-3（3,5-ジ-t-ブチル-4-ヒドロキシフェ
ノール）プロピオネイト〕;ポリスルフィド類である2-ベンゾチアゾールジスルフィド；
ジチオカルボン酸塩類であるチンクジブチルジチオカルバメイト、チンクジエチルジチオカルバメイト、ニッケルジブチルジチオカルバメイト、チンクジ-n-ブチルジチオカルバ
メイト、ジブチルアンモニウムジブチルジチオカルバメイト、チンクエチル−フェニル−ジチオカルバメイト、チンクジメチルカルバメイト；チオウレア類である1-ブチル-3-オ
キシ-ジエチレン-2-チオウレア、ジ-ｏ-トリル−チオウレア、エチレンチオウレア；チオホスフェイト類であるトリラウリルトリチオホスフェイトなどを挙げることができる。
【手続補正６】
【補正対象書類名】明細書
【補正対象項目名】００８３
【補正方法】変更
【補正の内容】
【００８３】
【発明の効果】
本発明に係る硬化性ゴム組成物は、特定のシリル基含有エチレン・α-オレフィン・非
共役ポリエンランダム共重合体ゴム（Ａ）と、特定のアミン類（Ｂ）と特定のシランカップリング剤（Ｃ）とを含有しているので、硬化物の物性に悪影響を及ぼすことなく、大気中の水分により室温または加熱により容易に硬化することができ、しかも、硬化速度が速く、耐候性に優れる硬化物（硬化塗膜）を提供することができる。